(57)【要約】【課題】筐体の壁部の前面パネルによって覆われた領域の一部に形成された、ネットワーク中継器が収納される空間に通じる開口部から埃等の異物が内部に侵入するのを阻止できる空気調和機の室内機を提供する。【解決手段】空気調和機の室内機１は、送風ファン３を収容する筐体６の前側に備えられた壁部５１の前面パネルに７よって覆われた領域Ｒの一部に、筐体６の内部に形成されたネットワーク中継器７０が収納される空間５２に通じる開口部５３が形成されている。筐体６の壁部５１に、開口部５３を開閉するカバー部材６０が取り付けられる。【選択図】図１２
2020020485.tif 000002
【特許請求の範囲】
【請求項１】
送風ファンを収容する筐体の前側に備えられた壁部の前面パネルによって覆われた領域の一部に、前記筐体の内部に形成されたネットワーク中継器が収納される空間に通じる開口部が形成された空気調和機の室内機であって、
前記筐体の壁部に、前記開口部を開閉するカバー部材を取り付けたことを特徴とする空気調和機の室内機。
【請求項２】
前記筐体の壁部には、後方に凹み前方が開口するネットワーク中継器収容凹部が形成され、前記開口部は前記ネットワーク中継器収容凹部の左端壁に形成されて、前記開口部を介して前記空間と前記ネットワーク中継器収容凹部とが連通し、
前記ネットワーク中継器は、前記ネットワーク中継器収容凹部に収容され、前記ネットワーク中継器の前端部が前記開口部を介して前記空間内に挿入されるとともに前記空間内に配置されたコネクタに接続されることを特徴とする請求項１に記載の空気調和機の室内機。
【請求項３】
前記カバー部材は、前記ネットワーク中継器収容凹部の開口部側の左端部を回動軸として回動可能に支持され、前記ネットワーク中継器収容凹部の前側を閉塞することで前記開口部と前記ネットワーク中継器の中継器本体との間の隙間が前記筐体の外部に露出することを回避することを特徴とする請求項２に記載の空気調和機の室内機。
【請求項４】
前記カバー部材は、前記ネットワーク中継器収容凹部の前側を閉塞する回動途中で前記ネットワーク中継器を前記空間への挿入方向に押圧可能な押圧部を備えることを特徴とする請求項３に記載の空気調和機の室内機。
【請求項５】
前記カバー部材は、透明の部材で形成されていることを特徴とする請求項１乃至４のうちいずれか一項に記載の空気調和機の室内機。
【発明の詳細な説明】
【技術分野】
【０００１】
本発明は、空気調和機の室内機に関する。
【背景技術】
【０００２】
近年、ＨＥＭＳ（Ｈｏｍｅ  Ｅｎｅｒｇｙ  Ｍａｎａｇｅｍｅｎｔ  Ｓｙｓｔｅｍ）、スマートグリッド等の普及に伴い、空気調和機のエネルギー管理に対する需要が高まっている。また、空気調和機を他の機器と共に管理する集中管理制御、空気調和機を宅外等の遠隔地から操作する遠隔操作等に対する需要が高まっている。
そして、それらの需要に応えるべく、ネットワークと無線で通信するネットワーク中継器を備えた空気調和機の室内機が提案されている。ネットワーク中継器は、空気調和機の室内機に内蔵された制御基板に接続され、空気調和機のエネルギー管理、遠隔操作等に用いられる信号が、ネットワーク中継器を介してネットワークに送受信される。
【０００３】
ここで、ネットワーク中継器を空気調和機の室内機に内蔵させてインテリア性を向上させること、当該室内機に内蔵されたネットワーク中継器を必要に応じて室内機から取り出して、視認、操作等を行うことを可能とすることを目的として、従来、例えば、特許文献１に示す空気調和機の室内機が提案されている。
特許文献１に示す空気調和機の室内機は、左右方向に延びる壁部を有する筐体と、壁部の少なくとも一部の領域の前側を覆う前面パネルとを備え、壁部の前面パネルによって覆われた領域に、ネットワークと無線で通信するネットワーク中継器が収納される空間の前端に通じる開口部が形成され、この開口部は、前面パネルの全て又は一部が外された又は開かれた状態において、露出するものである。
【０００４】
特許文献１に示す空気調和機の室内機によれば、壁部の前面パネルによって覆われた領域に、ネットワークと無線で通信するネットワーク中継器が収納される空間の前端に通じる開口部が形成されているので、当該開口部からネットワーク中継器を室内機に内蔵させてインテリア性を向上させることができる。また、この空気調和機の室内機によれば、開口部は、前面パネルの全て又は一部が外された又は開かれた状態において、露出するので、空気調和機の室内機に内蔵されたネットワーク中継器を、必要に応じて室内機の開口部から取り出して、視認、操作等を行うことができる。
【先行技術文献】
【特許文献】
【０００５】
【特許文献１】特許第６２７０６５８号公報
【発明の概要】
【発明が解決しようとする課題】
【０００６】
しかしながら、この従来の特許文献１に示した空気調和機の室内機にあっては、以下の問題点があった。
即ち、壁部の前面パネルによって覆われた領域に形成され、ネットワーク中継器が収納される空間に通じる開口部は、前面パネルが閉じられている状態であっても、筐体内に対して露出している。このため、ネットワーク中継器が室内機に内蔵された後に、当該開口部から埃等の異物が室内機の内部に入り込むことがあり、その埃等の異物が室内機の内部に設けられた制御基板とネットワーク中継器との接続部分の近傍等に堆積すると室内機に内蔵されたネットワーク中継器の接続不良等の原因となる。
【０００７】
従って、本発明はこの従来の問題点を解決するためになされたものであり、その目的は、筐体の壁部の前面パネルによって覆われた領域の一部に形成された、ネットワーク中継器が収納される空間に通じる開口部から埃等の異物が内部に侵入するのを阻止できる空気調和機の室内機を提供することにある。
【課題を解決するための手段】
【０００８】
上記目的を達成するために、本発明の一態様に係る空気調和機の室内機は、送風ファンが収容される筐体の前側に備えられた壁部の前面パネルによって覆われた領域の一部に、前記筐体の内部に形成されたネットワーク中継器が収納される空間に通じる開口部が形成された空気調和機の室内機であって、前記筐体の壁部に、前記開口部を開閉するカバー部材を取り付けたことを要旨とする。
【発明の効果】
【０００９】
本発明に係る空気調和機の室内機によれば、筐体の壁部の前面パネルによって覆われた領域の一部に形成された、ネットワーク中継器が収納される空間に通じる開口部から埃等の異物が内部に侵入するのを阻止できる。
【図面の簡単な説明】
【００１０】
【図１】本発明の一実施形態に係る空気調和機の室内機の正面図である。
【図２】図１におけるＡ−Ａ線に沿う断面図である。
【図３】図１に示す室内機から前面パネルを取り除いた状態の正面図である。
【図４】図３に示す状態からネットワーク中継器及びカバー部材を取り除いた状態の室内機を正面斜め下方から見た部分斜視図である。
【図５】図３に示す状態からネットワーク中継器及びカバー部材を取り除いた状態の室内機を図４とは異なる方向ら見た部分斜視図である。
【図６】ネットワーク中継器の斜視図である。
【図７】カバー部材の斜視図である。
【図８】カバー部材の正面図である。
【図９】カバー部材の右側面図である。
【図１０】カバー部材の平面図である。
【図１１】前面パネルを取り外した状態で、ネットワーク中継器を、ネットワーク中継器収容凹部に収容し、コネクタに接続した状態の断面図である。
【図１２】図１１に示す状態からカバー部材を取り付け、カバー部材を回転させている途中の断面図である。
【図１３】図１２に示す状態からカバー部材の回転が終了して壁部に係止され、ネットワーク中継器収容凹部の前側を閉塞した状態の断面図である。
【発明を実施するための形態】
【００１１】
以下、本発明の実施形態について図面を参照して説明する。
以下に示す実施形態は、本発明の技術的思想を具体化するための装置や方法を例示するものであって、本発明の技術的思想は、構成部品の材質、形状、構造、配置等を下記の実施形態に特定するものではない。また、図面は模式的なものである。そのため、厚みと平面寸法との関係、比率等は現実のものとは異なることに留意すべきであり、図面相互間においても互いの寸法の関係や比率が異なる部分が含まれている。
【００１２】
図１及び図２に示すように、空気調和機の室内機１は、ベース２と、送風ファン３と、熱交換器４と、ドレパン組立体５と、筐体６と、前面パネル７とを備えている。ドレパン組立体５には吹出口５ａが形成され、この吹出口５ａには、上下風向調整板５ｂが設けられる。
ベース２に、送風ファン３と、熱交換器４と、ドレパン組立体５とが取り付けられている。また、ベース２には、送風ファン３、熱交換器４及びドレパン組立体５を収容する筐体６が取り付けられている。筐体６の前側（図２における左側）には、左右方向（図１における左右方向）に延びる壁部５１が備えられている。壁部５１は筐体６から取り外すことができる。また、前面パネル７は、壁部５１の上端（図２おける上端）近傍に回動可能に取り付けられ、壁部５１の前側を覆う。ユーザーは、前面パネル７を着脱することができる。
【００１３】
このように構成された空気調和機の室内機１において、送風ファン３が回転すると、室内の空気が図示しないフィルターを介して室内機１内に吸い込まれ、熱交換器４において冷媒と熱交換されて冷気、暖気等になり、その冷気、暖気等が吹出口５ａを通過して室内へ噴出される。
ここで、空気調和機の室内機１には、図６に示すようなネットワーク中継器７０が搭載される。このネットワーク中継器７０は、後述する制御基板５６にコネクタ５７（図１１乃至図１３参照）を介して接続され、ＬＡＮ、ＷＡＮ等のネットワークに接続された無線ルータ等の通信機器と無線で通信するものである。ネットワーク中継器７０は、例えば、ＬＡＮ、ＷＡＮ等のネットワークに接続された無線ルータ等の通信機器とＷｉ−Ｆｉ通信する。ネットワーク中継器７０は、図６に示すように、四角柱状の中継器本体７１の前端部（図６における左端部）にコネクタ部７２を備えている。また、中継器本体７１の上面の後縁及び左右両側縁にコ字形のリブ７３が中継器本体７１から突出するように形成されている。中継器本体７１の表面には、図示はしないが、通信状態、エラー状態等を表示するための複数の表示灯が設けられるとともに、ＩＤ等が記載されたラベルが貼付されている。
【００１４】
次に、このネットワーク中継器７０の室内機１への搭載について、図３乃至図１３を参照して説明する。
図３には、図１に示す室内機１から前面パネル７を取り除いた状態の正面が示され、図４には、図３に示す状態からネットワーク中継器７０及びカバー部材６０を取り除いた状態の室内機１を正面斜め下方から見た状態が示され、図５には、図３に示す状態からネットワーク中継器７０及びカバー部材６０を取り除いた状態の室内機を図４とは異なる方向ら見た状態が示されている。また、図７にはカバー部材６０の斜視図、図８にはカバー部材６０の正面図、図９にはカバー部材６０の右側面図、図１０はカバー部材６０の平面図が示されている。更に、図１１には、前面パネル７を取り外した状態で、ネットワーク中継器７０を、コネクタ５７に接続した状態の断面が示されている。図１２には、図１１に示す状態からカバー部材６０を取り付け、カバー部材６０を回転させている途中の断面が示されている。図１３には、図１２に示す状態からカバー部材６０の回転が終了して壁部に係止され、ネットワーク中継器収容凹部５４の前側が閉塞された状態の断面が示されている。
【００１５】
図３乃至図５に示すように、壁部５１の前面パネル７によって覆われた領域Ｒ（図３における斜線を引いた領域）の一部、具体的には壁部５１の右端下方部の近傍には、後方に凹み前方が開口するネットワーク中継器収容凹部５４が形成されている。ネットワーク中継器収容凹部５４は、ネットワーク中継器７０を収容するものであり、ネットワーク中継器７０を収容可能な上下方向の幅を有するとともに、ネットワーク中継器７０の高さよりも大きい前後方向の深さを有する。また、ネットワーク中継器収容凹部５４は、図１１に示すように、ネットワーク中継器７０が左右方向にスライド可能な左右方向の長さを有する。
【００１６】
そして、ネットワーク中継器収容凹部５４の左端壁５４ｃには、図４及び図１１に示すように、筐体６の内部に形成されたネットワーク中継器７０が収納される空間５２に通じる開口部５３が形成され、開口部５３を介して空間５２とネットワーク中継器収容凹部５４とが連通している。開口部５３は、ネットワーク中継器７０の中継器本体７１の先端側（前端側）が左右方向に通過可能なように、中継器本体７１を左右方向（図６における上下方向）に沿って切断した断面形状よりもやや大きな矩形状に形成されている。また、ネットワーク中継器収容凹部５４の上壁５４ｅ及び下壁５４ｆの開口部５３側（左側）端部には、図４及び図１２に示すように、後述するカバー部材６０の支軸部６４が入り込む一対の凹部５４ａ（上壁５４ｅ側の凹部５４ａのみ図示）が形成されている。また、ネットワーク中継器収容凹部５４の右端壁５４ｄには、後述するカバー部材６０の係止爪６６ａが入り込む係止孔５４ｂが形成されている。
【００１７】
また、ネットワーク中継器７０が収納される空間５２には、図１１に示すように、制御基板収納ケース５５が設けられ、この制御基板収納ケース５５内には、コネクタ５７が接続される制御基板５６が収納されている。
そして、ネットワーク中継器７０を室内機１に搭載するに際し、先ず、図１１に示すように、前面パネル７を取り外した状態、あるいは前面パネル７に対して開いた状態で、ネットワーク中継器７０をコネクタ部７２を開口部５３側（左側）に向けてネットワーク中継器収容凹部５４に収容する。
【００１８】
次いで、ネットワーク中継器７０を空間５２に向けて（左方に向けて）押圧してスライドさせ、ネットワーク中継器７０の中継器本体７１の先端側を開口部５３を通過させて空間５２内に挿入し、コネクタ部７２をコネクタ５７に接続する。これにより、ネットワーク中継器７０が制御基板５６に接続される。
ここで、ネットワーク中継器７０が収納される空間５２に通じる開口部５３において、ネットワーク中継器７０の中継器本体７１との間に隙間が生じる。そして、前面パネル７が取り外された状態であるので、当該隙間が筐体６の外部に露出した状態となっている。このため、当該隙間から埃等の異物が室内機１の内部に入り込むことがあり、その埃等の異物がコネクタ５７とネットワーク中継器７０のコネクタ部７２との接続部分や制御基板５６の近傍に堆積して室内機１に内蔵された制御基板５６等の接続不良等の原因となることがある。
【００１９】
このため、本実施形態に係る室内機１にあっては、図１２に示すように、筐体６の壁部５１に、開口部５３を開閉するカバー部材６０が取り付けられる。
カバー部材６０は、図７乃至図１０に示すように、前後方向（図７における左右方向）及び左右方向（図７における上下方向）に延びる矩形状の平板部６１と、平板部６１の左側縁及び右側縁のそれぞれから下方に延びる一対の側板部６２とを備えている。
カバー部材６０の平板部６１は、ネットワーク中継器収容凹部５４の前側（図１３において上側）を閉塞する形状を有する。
【００２０】
また、カバー部材６０の平板部６１の左側縁及び右側縁の側板部６２よりも前側（図７における左側）の位置からは一対の支持板部６３が下方に延び、各支持板部６３には左右方向外方に突出する支軸部６４が設けられている。各支軸部６４は、ネットワーク中継器収容凹部５４に形成された各凹部５４ａに入り込み、これにより、カバー部材６０は、図１２に示すように、ネットワーク中継器収容凹部５４の開口部５３側の左端部を回動軸として回動可能に支持される。カバー部材６０は、図１２に示すように、ネットワーク中継器収容凹部５４に対して開いている状態と、図１３に示すように、ネットワーク中継器収容凹部５４に対して閉じている状態との間を回動する。
【００２１】
また、カバー部材６０の平板部６１の後端部（図７における右端部）６１ｂの左右方向中央部には、矩形状の切欠き６１ａが形成され、切欠き６１ａの前縁には、下方に凸の形で湾曲する弾性部６５を有する係止片６６が設けられている。また、係止片６６の後面６６ｂには、係止爪６６ａが突出するように形成されている。係止爪６６ａは、カバー部材６０が回動してネットワーク中継器収容凹部５４の前側を閉塞するときに、ネットワーク中継器収容凹部５４に形成された係止孔５４ｂに入り込み、カバー部材６０を係止する。そして、カバー部材６０がネットワーク中継器収容凹部５４の前側を閉塞することで、開口部５３と中継器本体７１との間の隙間が筐体６の外部に露出することを回避する。
【００２２】
また、カバー部材６０の平板部６１の下面には、ネットワーク中継器収容凹部５４の前側を閉塞する回動途中でネットワーク中継器７０を空間５２への挿入方向に押圧可能な一対の押圧部６７が設けられている。各押圧部６７は、矩形の平板状に形成され、一方の押圧部６７は平板部６１の左側の側板部６２の内側に配置され、他方の押圧部６７は平板部６１の右側の側板部６２の内側に配置される。ネットワーク中継器７０がコネクタ５７に対し不完全な嵌合状態で接続されているときに、各押圧部６７は、回動途中でネットワーク中継器７０の後端部に接触してネットワーク中継器７０を空間５２への挿入方向に押圧し、ネットワーク中継器７０のコネクタ５７に対する不完全な嵌合状態を解消する。これにより、ネットワーク中継器７０とコネクタ５７との接続不良を解消することができる。一方、ネットワーク中継器７０がコネクタ５７に対し完全な嵌合の状態で接続されているときには、各押圧部６７は、回動途中でネットワーク中継器７０の後端部に接触することのない形状、寸法に設定されている。
【００２３】
また、カバー部材６０は、透明の樹脂材料を成形することにより形成されている。カバー部材６０が有色である場合には、カバー部材６０がネットワーク中継器収容凹部５４の前側を閉塞すると、外部からネットワーク中継器７０を視認することができない。これに対して、カバー部材６０が透明の場合には、カバー部材６０がネットワーク中継器収容凹部５４の前側を閉塞しても、外部からネットワーク中継器７０を視認することができ、中継器本体７１の表面に設けられた表示灯及びＩＤ等が記載されたラベルを視認することができる。
【００２４】
図１１に示すように、ネットワーク中継器７０をコネクタ５７に接続した後、図１２に示すように、カバー部材６０の支軸部６４をネットワーク中継器収容凹部５４に形成された各凹部５４ａに挿入する。これにより、カバー部材６０は、図１２に示すように、ネットワーク中継器収容凹部５４の開口部５３側の左端部を回動軸として回動可能に支持される。
次いで、カバー部材６０を図１２における矢印方向に回動させ、図１３に示すように、カバー部材６０の係止爪６６ａをネットワーク中継器収容凹部５４に形成された係止孔５４ｂに入れ込む。この際に、係止片６６は、弾性部６５を有するから、ネットワーク中継器収容凹部５４の右端壁５４ｄに接触して一旦左方に変位し、係止爪６６ａが係止孔５４ｂに入り込んだ時に元の位置に復帰する。これにより、カバー部材６０が係止され、カバー部材６０がネットワーク中継器収容凹部５４の前側を閉塞し、開口部５３と中継器本体７１との間の隙間が筐体６の外部に露出することを回避する。
【００２５】
開口部５３が閉塞されることにより、前面パネル７が取り外された状態であっても、開口部５３とネットワーク中継器７０の中継器本体７１との間の隙間が筐体６の外部に露出することが回避され、当該隙間から埃等の異物が室内機１の内部に侵入し、その埃等の異物がコネクタ５７とネットワーク中継器７０のコネクタ部７２との接続部分や制御基板５６の近傍に堆積して室内機１に内蔵された制御基板５６等の接続不良を回避することができる。
一方、ネットワーク中継器７０を取り出す場合には、カバー部材６０の係止片６６を左方に変位させて係止爪６６ａを係止孔５４ｂから取り外し、その状態でカバー部材６０を図１２における矢印方向と反対方向に回動させる。そして、カバー部材６０の支軸部６４をネットワーク中継器収容凹部５４に形成された各凹部５４ａから外してカバー部材６０を壁部５１から取り外す。その後、ネットワーク中継器７０を空間５２への挿入方向とは反対方向にスライドさせて引き出し、コネクタ部７２をコネクタ５７から取り外せばよい。このネットワーク中継器７０の引き出しに際し、作業者はリブ７３に指を掛けて引き出すことができる。
【００２６】
なお、ネットワーク中継器７０を室内機１に搭載するに際し、ネットワーク中継器７０をネットワーク中継器収容凹部５４に収容し、ネットワーク中継器７０をスライドさせてコネクタ５７に接続する前に、カバー部材６０を壁部５１に取り付けておき、係止爪６６ａの係止状態を解除してカバー部材６０を開き、その後、ネットワーク中継器７０をネットワーク中継器収容凹部５４に収容し、ネットワーク中継器７０をスライドさせてコネクタ５７に接続する。その後、カバー部材６０を回動させて係止爪６６ａを係止孔５４ｂに係止し、カバー部材６０によってネットワーク中継器収容凹部５４の前側を閉塞し、開口部５３と中継器本体７１との間の隙間が筐体６の外部に露出することを回避するようにしてもよい。
【００２７】
この際に、カバー部材６０は、ネットワーク中継器収容凹部５４の開口部５３側の左端部を回動軸として回動可能に支持され、ネットワーク中継器７０の挿入方向に沿ってカバー部材６０が開閉するようになっているので、カバー部材６０を取り付けた状態でネットワーク中継器７０を容易にスライドさせコネクタ５７に接続することができる。
また、ネットワーク中継器７０を取り出す場合には、カバー部材６０の係止片６６を左方に変位させて係止爪６６ａを係止孔５４ｂから取り外し、その状態でカバー部材６０を図１２における矢印方向と反対方向に回動させてカバー部材７０を開く。この状態で、カバー部材６０を壁部５１から取り外さずに、ネットワーク中継器７０を空間５２への挿入方向とは反対方向にスライドさせて引き出し、コネクタ部７２をコネクタ５７から取り外すようにしてもよい。
【００２８】
以上、本発明の実施形態について説明してきたが、本発明はこれに限定されずに種々の変更、改良を行うことができる。
例えば、  カバー部材６０は、開口部５３を開閉する構造であれば、必ずしもネットワーク中継器収容凹部５４の開口部５３側の左端部を回動軸として回動可能に支持されていなくてもよい。
また、カバー部材６０は、必ずしも押圧部６７を備えていなくても良い。
また、カバー部材６０は、透明の部材で形成されている必要は必ずしもない。
【符号の説明】
【００２９】
１  空気調和機の室内機
２  基台
３  送風ファン
４  熱交換器
５  ドレパン組立体
５ａ  吹出口
５ｂ  上下風向調整板
６  筐体
７  前面パネル
５１  壁部
５２  空間
５３  開口部
５４  ネットワーク中継器収容凹部
５４ａ  凹部
５４ｂ  係止孔
５４ｃ  左端壁
５４ｄ  右端壁
５４ｅ  上壁
５４ｆ  下壁
５５  制御基板収納ケース
５６  制御基板
５７  コネクタ
６０  カバー部材
６１  平板部
６１ａ  切欠き
６１ｂ  後端部
６２  側板部
６３  支持板部
６４  支軸部
６５  弾性部
６６  係止片
６６ａ  係止爪
６６ｂ  後面
６７  押圧部
７０  ネットワーク中継器
７１  中継器本体
７２  コネクタ部
７３  リブ
Ｒ  壁部の前面パネルによって覆われた領域
【図１】
2020020485.tif 000003
【図２】
2020020485.tif 000004
【図３】
2020020485.tif 000005
【図４】
2020020485.tif 000006
【図５】
2020020485.tif 000007
【図６】
2020020485.tif 000008
【図７】
2020020485.tif 000009
【図８】
2020020485.tif 000010
【図９】
2020020485.tif 000011
【図１０】
2020020485.tif 000012
【図１１】
2020020485.tif 000013
【図１２】
2020020485.tif 000014
【図１３】
2020020485.tif 000015